(57)【要約】【課題】複数の伝送路の受信状況に応じて番組を提示する伝送路を切替えて番組を継続して提示する際に、切替のために番組が中断する時間を低減する。【解決手段】受信端末１００において、切替部１３０は、放送により受信した映像音声データと通信により受信した映像音声データとのいずれを出力するかの切替を行い、映像音声提示部１４０は、切替部１３０が出力した映像音声データを提示する。パターンデータ保持部１６０は、移動経路と、移動経路において放送から通信への切替又は放送への切替を行う境界領域とを示すパターンデータを保持する。境界領域判定部１７０は、現在位置計測部１５１が計測した現在位置の履歴に基づいて、パターンデータが示す移動経路上の境界領域又はその近傍に位置すると判断した場合に、放送と通信のいずれにより受信した映像音声データを出力するかの切替を切替部１３０に指示する。【選択図】図１
2018201149.tif 000002
【特許請求の範囲】
【請求項１】
複数の伝送路それぞれにより映像音声データを受信する受信部と、
前記受信部が複数の前記伝送路それぞれにより受信した前記映像音声データのうちいずれを出力するかを切替える切替部と、
前記切替部が出力した前記映像音声データを提示する映像音声提示部と、
移動経路と、前記移動経路において提示対象の前記映像音声データを受信する前記伝送路の切替を行う境界領域とを示すパターンデータを保持するパターンデータ保持部と、
現在位置を計測する現在位置計測部と、
前記現在位置計測部が計測した前記現在位置の履歴に基づいて、前記パターンデータが示す前記移動経路上の前記境界領域又は前記境界領域の近傍に位置すると判断した場合に、前記受信部が受信した前記映像音声データのうちいずれの前記伝送路により受信した前記映像音声データを出力するかの切替を前記切替部に指示する境界領域判定部と、
を備えることを特徴とする受信端末。
【請求項２】
複数の前記伝送路それぞれの受信品質を計測する品質計測部と、
前記現在位置計測部による計測結果の履歴に基づいて移動経路を算出し、算出した前記移動経路における前記品質計測部による計測結果に基づいて前記境界領域を判断して前記パターンデータを生成するパターンデータ生成部とをさらに備える、
ことを特徴とする請求項１に記載の受信端末。
【請求項３】
複数の前記伝送路は、放送及び通信を含む、
ことを特徴とする請求項１又は請求項２に記載の受信端末。
【請求項４】
放送から通信への切替を行う前記境界領域は、前記移動経路において放送が使用不可となる領域よりも前の領域であり、通信から放送への切替を行う前記境界領域は、前記移動経路において通信が使用不可となる領域よりも前の領域、または、前記移動経路において放送が使用可能となる領域から後の領域である、
ことを特徴とする請求項３に記載の受信端末。
【請求項５】
複数の伝送路それぞれにより受信した映像音声データのうちいずれかを提示する受信端末に用いられるコンピュータに、
移動経路と、前記移動経路において提示対象の前記映像音声データを受信する前記伝送路の切替を行う境界領域とを示すパターンデータを保持するパターンデータ保持機能と、
現在位置計測部が計測した現在位置の履歴に基づいて、前記パターンデータが示す前記移動経路上の前記境界領域又は前記境界領域の近傍に位置すると判断した場合に、映像音声データを提示する映像音声提示部に複数の前記伝送路それぞれにより受信した前記映像音声データのうちいずれを出力するかを切替える切替部に対して、出力する前記映像音声データの切替を指示する境界領域判定機能と、
を実現させるためのプログラム。
【発明の詳細な説明】
【技術分野】
【０００１】
本発明は、受信端末及びプログラムに関する。
【背景技術】
【０００２】
視聴者は、携帯型のテレビ受信機などを利用して、移動しながらテレビ番組を視聴できる。しかし、地下やビル陰などでは、放送を受信できないために番組を視聴できないことがあった。また、放送番組がインターネットで同時再送信される場合、視聴者は、インターネット経由で配信される番組を、スマートフォンなどを用いて視聴することもできる。しかし、インターネットによる番組の視聴には、高い通信コストがかかってしまうことがあった。これら両方の機能を持っている端末もあるが、普段は放送される番組を視聴し、放送が受信できないときには手動でインターネット配信に切替えて使うため、手間がかかる上に、信号断の時間が長くかかる。
一方、放送の受信状況に基づいて、放送により受信した番組と、通信により配信された番組とを切替えて提示する受信端末がある（例えば、特許文献１参照）。
【先行技術文献】
【特許文献】
【０００３】
【特許文献１】特開２０１４−２２０５６９号公報
【発明の概要】
【発明が解決しようとする課題】
【０００４】
放送と通信の複数の伝送路で番組が受信可能な従来の受信端末では、放送の受信状況に基づいて、放送により受信した番組と、通信により受信した番組とを切替えて提示する場合、放送の受信ができなくなったことを検出してから通信への切替を行う。放送を受信できず、番組を提示できなくなってから通信への切替を開始し、切替が完了して通信により受信した番組を提示できるようになるまでは時間がかかるため、受信端末による番組の提示が中断することがあった。
【０００５】
本発明は、このような事情を考慮してなされたもので、複数の伝送路の受信状況に応じて番組を提示する伝送路を切替えて番組を継続して提示する際に、切替のために番組が中断する時間を低減することができる受信端末及びプログラムを提供する。
【課題を解決するための手段】
【０００６】
本発明の一態様は、複数の伝送路それぞれにより映像音声データを受信する受信部と、前記受信部が複数の前記伝送路それぞれにより受信した前記映像音声データのうちいずれを出力するかを切替える切替部と、前記切替部が出力した前記映像音声データを提示する映像音声提示部と、移動経路と、前記移動経路において提示対象の前記映像音声データを受信する前記伝送路の切替を行う境界領域とを示すパターンデータを保持するパターンデータ保持部と、現在位置を計測する現在位置計測部と、前記現在位置計測部が計測した前記現在位置の履歴に基づいて、前記パターンデータが示す前記移動経路上の前記境界領域又は前記境界領域の近傍に位置すると判断した場合に、前記受信部が受信した前記映像音声データのうちいずれの前記伝送路により受信した前記映像音声データを出力するかの切替を前記切替部に指示する境界領域判定部と、を備えることを特徴とする受信端末である。
【０００７】
本発明の一態様は、上述の受信端末であって、複数の前記伝送路それぞれの受信品質を計測する品質計測部と、前記現在位置計測部による計測結果の履歴に基づいて移動経路を算出し、算出した前記移動経路における前記品質計測部による計測結果に基づいて前記境界領域を判断して前記パターンデータを生成するパターンデータ生成部とをさらに備える、ことを特徴とする。
【０００８】
本発明の一態様は、上述の受信端末であって、複数の前記伝送路は、放送及び通信を含む、ことを特徴とする。
【０００９】
本発明の一態様は、上述の受信端末であって、放送から通信への切替を行う前記境界領域は、前記移動経路において放送が使用不可となる領域よりも前の領域であり、通信から放送への切替を行う前記境界領域は、前記移動経路において通信が使用不可となる領域よりも前の領域、または、前記移動経路において放送が使用可能となる領域から後の領域である、ことを特徴とする。
【００１０】
本発明の一態様は、複数の伝送路それぞれにより受信した映像音声データのうちいずれかを提示する受信端末に用いられるコンピュータに、移動経路と、前記移動経路において提示対象の前記映像音声データを受信する前記伝送路の切替を行う境界領域とを示すパターンデータを保持するパターンデータ保持機能と、現在位置計測部が計測した現在位置の履歴に基づいて、前記パターンデータが示す前記移動経路上の前記境界領域又は前記境界領域の近傍に位置すると判断した場合に、映像音声データを提示する映像音声提示部に複数の前記伝送路それぞれにより受信した前記映像音声データのうちいずれを出力するかを切替える切替部に対して、出力する前記映像音声データの切替を指示する境界領域判定機能と、を実現させるためのプログラムである。
【発明の効果】
【００１１】
本発明によれば、受信端末において、複数の伝送路の受信状況に応じて番組を提示する伝送路を切替えて番組を継続して提示する際に、切替のために番組が中断する時間を低減することができる。
【図面の簡単な説明】
【００１２】
【図１】第１の実施形態による受信端末の構成を示すブロック図である。
【図２】放送及び通信の受信状況の実測例を示す図である。
【図３】第１の実施形態による受信品質計測ログの例を示す図である。
【図４】第１の実施形態による移動経路と境界領域をグラフで示した図である。
【図５】第１の実施形態によるパターンデータを示す図である。
【図６】第１の実施形態によるパターンデータをＣＳＶ形式で符号化した例を示す図である。
【図７】第１の実施形態による受信端末の望ましい切替動作例を示す。
【図８】第１の実施形態による受信端末の放送受信時の動作を示すフロー図である。
【図９】第１の実施形態による受信端末の通信受信時の動作を示すフロー図である。
【図１０】第２の実施形態によるパターンデータを説明するための図である。
【図１１】第３の実施形態による受信端末の構成を示すブロック図である。
【発明を実施するための形態】
【００１３】
以下、図面を参照しながら本発明の実施形態を詳細に説明する。
【００１４】
［第１の実施形態］
視聴者が番組に接する機会を増やすため、放送と通信（例えば、インターネット）のように、複数の伝送路で番組が同時に伝送される状況を想定する。このような状況においては、番組視聴用の受信端末が移動した場合、移動場所によって放送と通信の受信状態が異なる。そこで、本実施形態の受信端末は、放送が受信不可になると判断したときには放送から通信による番組受信に切替え、通信が不可になると判断したときには通信から放送による番組受信へと切替える自動切替機能を持つ。これにより、番組が途切れることなく受信端末に表示可能となる。
【００１５】
受信端末は、放送と通信の切替を判断するために、受信状況に関するパターンデータを用いる。パターンデータは、いくつかの移動経路それぞれにおいて、通信と放送の切替を行う位置である境界領域を示す。境界領域は、移動経路における放送及び通信それぞれの過去の受信状況をもとに決められる。受信端末は、自端末の現在位置及び移動方向と、パターンデータとを照合して、自動切替の判定を行う。この動作により、受信端末は、完全に放送又は通信が遮断される前に、あらかじめ放送による受信と通信による受信とを切替えて、番組提示を継続することが可能となる。
【００１６】
図１は、本実施形態による受信端末１００の構成を示す機能ブロック図であり、本実施形態と関係する機能ブロックのみを抽出して示してある。同図に示す受信端末１００は、放送受信部１１０、通信受信部１２０、切替部１３０、映像音声提示部１４０、計測部１５０、パターンデータ保持部１６０、境界領域判定部１７０及び切替判定部１８０を備える。
【００１７】
放送受信部１１０は、地上デジタル放送（ワンセグ、フルセグ）や、衛星デジタル放送などの放送信号を受信する。放送受信部１１０は、受信した放送信号から番組の映像音声データを取得して復号した後、切替部１３０に出力する。以下では、放送受信部１１０が出力した映像音声データを、「放送受信映像音声データ」とも記載する。
【００１８】
通信受信部１２０は、インターネット、４Ｇ、ＷｉＦｉ（登録商標）などの通信を使用してデータを送受信する。通信は無線通信、有線通信のいずれでもよい。通信受信部１２０は、受信したデータから番組の映像音声データを取得して復号した後、切替部１３０に出力する。以下では、通信受信部１２０が出力した映像音声データを、「通信受信映像音声データ」とも記載する。
【００１９】
切替部１３０は、放送受信部１１０が出力した放送受信映像音声データと、通信受信部１２０が出力した通信受信映像音声データとのうちいずれか一方を、映像音声提示部１４０へ出力する。切替部１３０が、放送受信映像音声データ又は通信受信映像音声データのいずれを出力するかの切替は、境界領域判定部１７０又は切替判定部１８０による制御に従う。以下では、切替部１３０が出力する対象を、放送受信映像音声データから通信受信映像音声データに切替えることを「放送から通信への切替」と記載する。また、切替部１３０が出力する対象を、通信受信映像音声データから放送受信映像音声データに切替えることを「通信から放送への切替」と記載する。
【００２０】
映像音声提示部１４０は、切替部１３０が出力した放送受信映像音声データ又は通信受信映像音声データの映像や音声を、受信端末１００が内部又は外部に備えるディスプレイやスピーカなどに提示する。
【００２１】
計測部１５０は、現在位置計測部１５１、放送品質計測部１５２及び通信品質計測部１５３を備える。
現在位置計測部１５１は、受信端末１００の現在位置を計測する。例えば、現在位置計測部１５１は、全地球測位システム（Global Positioning System：ＧＰＳ）により現在位置の情報を取得してもよい。また例えば、現在位置計測部１５１は、通信受信部１２０が無線通信により受信したビーコンなどに含まれる無線基地局の情報などに基づいて現在位置の情報を取得してもよい。
【００２２】
放送品質計測部１５２は、放送受信部１１０における放送波の受信品質を計測する。放送品質計測部１５２は、受信品質として、例えば、ＣＮ比（Carrier to Noise ratio：搬送波対雑音比）を計測するが、ＣＮ比に代えてＢＥＲ（Bit error rate：符号誤り率）などを測定してもよい。
【００２３】
通信品質計測部１５３は、通信受信部１２０における通信の受信品質を計測する。通信品質計測部１５３は、通信の受信品質として、例えば、通信速度を計測するが、通信速度に代えて、ＢＥＲや、無線通信における電界強度などを計測してもよい。
【００２４】
パターンデータ保持部１６０は、１以上のパターンデータを保持する。パターンデータには、電車やバスの路線、通勤経路など良く使われるルートと、そのルートにおいて放送と通信の切替を行う境界領域とが記述される。パターンデータについては、外部サーバ３００などの外部の装置からダウンロード又はコピーして取得する場合、あらかじめ受信端末１００の内部にインストールしておく場合が考えられる。また、受信端末の内部でパターンデータを作成して保持する場合も考えられるが、これについては後述の第３の実施形態において説明する。
【００２５】
境界領域判定部１７０は、現在位置計測部１５１が一定の時間間隔で計測した複数の現在位置のデータを用いて、パターンデータ保持部１６０が保持する複数のパターンデータのうち適用可能なパターンデータを選択する処理と、進行方向を判定する処理とを行う。さらに、境界領域判定部１７０は、現在位置及び進行方向と、パターンデータとに基づいて、現在位置が境界領域又は境界領域の近傍であるか否かを判定する。境界領域判定部１７０は、境界領域又は境界領域の近傍であると判定した場合、切替部１３０に対して、放送から通信への切替、又は、通信から放送への切替を指示する。
【００２６】
切替判定部１８０は、境界領域と無関係に予期せぬ要因によって、パターンデータに従わず、放送の受信品質や通信の受信品質に急激な低下があったことを検出した場合、切替部１３０に、放送から通信への切替、又は、通信から放送への切替を指示する。
【００２７】
図２は、放送及び通信の受信状況の実測例を示す図である。日常生活において、電車やバスなどの移動手段によりテレビ番組を視聴しながら、移動する場合が想定される。同図は、東京都内において電車や徒歩で移動中に計測した放送ＣＮ比と通信速度の実測値（スループット）を示している。同図によれば、電車が地下を走行する区間などでは放送が受信不可となり、その間は通信が利用可能であることを示している。一方、通信速度は低下するものの、放送ＣＮ比が高い区間もある。この移動中では、放送か通信のいずれか、又は、その両方が利用可能である。
【００２８】
図３は、放送及び通信それぞれの受信品質計測ログの例を示す図である。通信は、例えば、インターネットを介して行われる。受信品質計測ログは、受信品質の計測結果のログデータである。電車やバスなどの移動手段により移動した場合、同図に示すように時間の経過とともに、現在位置を示す座標（ｘ，ｙ）と、計測された放送のＣＮ比、及び、通信のスループットが変化する。通信のスループットは、通信ビットレートで表わしている。同図では、さらに、移動方向についても記載している。座標（ｘ，ｙ）には、緯度及び経度を用いているが、他の座標系を用いてもよい。また、放送や通信の受信品質を表すＣＮ比やビットレートに代えて、符号誤り率など受信品質を表す他の測定項目を使用してもよい。
【００２９】
図４は、移動経路と境界領域をグラフで示した図であり、図５は、図４に示す移動経路と境界領域を表すパターンデータを示す図である。移動経路は、地図上の座標の移動によって表される。実際の電車やバス、徒歩などの移動経路は複雑な曲線となるが、パターンデータの作成に当たっては、移動経路を複数の線分で分割して近似する。横軸ｘ、縦軸ｙには、経度、緯度などの数値を用いてもよく、ほかの座標系を新たに設定して用いてもよい。図４及び図５では、計算が容易になるように所定位置を原点とする独自の座標系を用いている。
【００３０】
図５に示すパターンデータは、移動経路を表す各座標の座標番号、ｘ座標の値、ｙ座標の値、起点識別、終点識別及び境界種別の情報を含む。起点識別は、移動経路の起点であるか（Ｙ）否か（Ｎ）を示す。終点識別は、移動経路の終点であるか（Ｙ）否か（Ｎ）を示す。境界種別は、境界領域に関連しない点（座標）、放送から通信へ切替える境界領域の開始点、放送から通信へ切替える境界領域の終点、通信から放送へ切替える境界領域の開始点、通信から放送へ切替える境界領域の終点のいずれであるかを示す。なお、境界領域の開始点と終点の間の点については、境界領域に関連しない点に含めてもよく、異なる境界種別を割当ててもよい。以下では、放送から通信へ切替える境界領域を「放送通信切替境界領域」と記載し、通信から放送へ切替える境界領域を「通信放送切替境界領域」を記載する。
【００３１】
移動経路は、座標番号１，２，３，…の順に移動する経路として表される。以下では、座標番号ｉ（ｉは１以上の整数）の座標を座標ｉとする。図４及び図５の例では、座標１が移動経路の起点であり、座標４が移動経路の終点である。つまり、移動経路は、座標１と座標２の間の線分、座標２と座標３の間の線分、及び、座標３と座標４の線分の３つの線分により表わされる。
【００３２】
線分は一般に、ｙ=ａｘ+ｂのような直線方程式と、ｘ又はｙの可変範囲とにより示される。２点（ｘ１，ｙ１）と（ｘ２,ｙ２）を通る直線の方程式は、ｘ１≠ｘ２のときは以下の式（１）となり、ｘ１＝ｘ２のときは以下の式（２）となる。
【００３３】
ｙ＝｛（ｙ２−ｙ１）（ｘ−ｘ１）／（ｘ２−ｘ１）｝＋ｙ１      …（１）
【００３４】
ｘ＝ｘ１      …（２）
【００３５】
例えば、座標２（１００，６０）から座標３（１５０，８０）への線分は、式（１）により、ｙ=０．４ｘ+２０と導出され、ｘの範囲は１００＜ｘ＜１５０と表される。
【００３６】
放送が断となり、通信が良好な領域の近傍は放送通信切替境界領域である。また、逆に通信が断となり、放送が良好な領域の近傍は通信放送切替境界領域である。パターンデータにおいて、放送通信切替境界領域であるか通信放送切替境界領域であるかは、境界種別のパラメータで区分される。図５においては、座標１から座標２は放送、通信ともに利用可能な領域である。また、座標３から座標４では放送が断になり、通信は使用可能と想定される領域である。座標２から座標３は、放送が使用可能から使用不可に変化する領域の手前の領域であり、放送通信切替境界領域である。
【００３７】
放送が使用可能から使用不可に変化する座標からどれくらい手前の領域までを放送通信切替境界領域とするか、及び、通信が使用可能から使用不可に変化する座標からどれくらい手前の領域までを通信放送切替境界領域とするかの境界領域の大きさは、受信端末１００が放送と通信の切替を行うためにかかる時間を考慮して、あらかじめ決定される。また、移動経路を移動する際の速度をさらに考慮して、境界領域を決定してもよい。つまり、速度が速いほど境界領域を大きくする。本実施形態の受信端末１００は、この境界領域において放送から通信へ、または、通信から放送へ切替えることにより、番組の遮断がなく、継続して番組提示を行うことができる。
【００３８】
なお、図４及び図５は、放送が受信可能なエリアから、放送が受信不可であり、通信のみが受信可能なエリアへの移動部分のみを例に示しているが、通信が遮断され、放送のみ受信可能なエリアも想定される。そのようなエリアへの境界領域においては、受信端末１００は、通信から放送へ切替を行う。また、放送が受信不可かつ通信が受信可能なエリアから、放送も通信も受信可能なエリアへの境界領域においても、受信端末１００は、通信から放送への切替を行う。
【００３９】
上述したように、パターンデータにおいて、放送通信切替境界領域であるか通信放送切替境界領域であるかは、境界種別のパラメータで区分される。つまり、パターンデータに設定された境界種別１の座標ｉ（ｉ≧１、ｉは整数）から座標ｉに最も近い境界種別２の座標ｊ（ｊ＞ｉ、ｊは整数）までが放送通信切替境界領域であり、パターンデータに設定された境界種別３の座標ｍ（ｍ≧１、ｍは整数）から座標ｍに最も近い境界種別４の座標ｎ（ｎ＞ｍ、ｎは整数）までが通信放送切替境界領域である。座標ｉと座標ｊの間、座標ｍと座標ｎの間には、境界種別０（又は、境界領域の開始点と終点の間の点を表す境界種別）の座標ｋ（ｉ＜ｋ＜ｊ又はｍ＜ｋ＜ｎ、ｋは整数）が含まれ得る。
【００４０】
図６は、図３に示すパターンデータをＣＳＶ（comma-separated values）形式で符号化した例を示す図である。符号化は、ＪＳＯＮ（JavaScript（登録商標） Object Notation）などその他の形式でも可能である。
【００４１】
図７は、移動している状態における受信端末１００の望ましい切替動作例を示す。同図において実線Ｌ１１、Ｌ１２は放送の受信可能時間を示し、実線Ｌ１３は、インターネット（ネット）による通信の受信可能時間を示す。つまり、時刻ｔ１から時刻ｔ３まで、及び、時刻ｔ４以降では、放送及び通信ともに受信可能であり、時刻ｔ３から時刻ｔ４までは通信のみが受信可能である。
【００４２】
受信端末１００が継続して番組を提示するためには、放送断となる前に、放送から通信の切替を行うことが望ましい。また、通信コストの削減のためには、通常は放送が望ましい。そこで、放送断となる前の時刻ｔ２から放送断となる時刻ｔ３までに移動する区間を、放送から通信へ切替える放送通信切替境界領域とし、受信端末１００は、この放送通信切替境界領域における矢印Ａ１の時点で放送から通信への切替を行う。また、放送受信可能となる時刻ｔ４から時刻ｔ５までに移動する区間を、通信から放送へ切替える通信放送切替境界領域とし、受信端末１００は、この通信放送切替境界領域における矢印Ａ２の時点で通信から放送への切替を行う。
【００４３】
図８は、放送受信時の受信端末１００の動作を示すフロー図である。
受信端末１００は、放送の受信を開始する。すなわち、切替部１３０は、放送受信部１１０が出力した放送受信映像音声データを映像音声提示部１４０へ出力し、映像音声提示部１４０は、放送受信映像音声データを提示する。
【００４４】
境界領域判定部１７０は、パターンデータが選択済みであるか否かを判定する（ステップＳ１１０）。境界領域判定部１７０は、パターンデータが未選択であると判定した場合、適用可能なパターンデータの候補を選択する（ステップＳ１２０）。具体的には、境界領域判定部１７０は、パターンデータ保持部１６０に記憶されるパターンデータのうち、起点の座標と、現在位置計測部１５１が計測した現在位置を表す座標とが所定の範囲内である１以上のパターンデータを、適用可能なパターンデータの候補として選択する。なお、境界領域判定部１７０は、パターンデータ保持部１６０に記憶されるパターンデータのうち、現在位置とパターンデータが示す移動経路との最短距離が所定以内のものを選択してもよい。
【００４５】
一定時間経過後、境界領域判定部１７０は、現在位置計測部１５１が計測した現在位置を取得し、取得した現在位置と、前回取得した現在位置とに基づいて進行方向を算出する。境界領域判定部１７０は、適用可能なパターンデータの候補の中から、現在位置と移動経路との距離が所定以内であり、かつ、移動方向と移動経路の方向のずれが所定以内であるパターンデータを選択する（ステップＳ１３０）。境界領域判定部１７０は、ステップＳ１３０の処理を、選択されたパターンデータが一つになるまで繰り返す（ステップＳ１４０）。
【００４６】
境界領域判定部１７０が、ステップＳ１１０においてパターンデータは選択済みであると判定した場合、又は、ステップＳ１４０において、選択されたパターンデータが一つになったと判定した場合、切替判定部１８０は、ステップＳ１５０からの処理を行う。すなわち、切替判定部１８０は、一定時間経過後に（ステップＳ１５０）、放送品質計測部１５２により計測された放送のＣＮ比が放送受信映像音声データの受信に十分な値であるか否かを判断する（ステップＳ１６０）。例えば、切替判定部１８０は、所定の閾値とＣＮ比を比較する。
【００４７】
切替判定部１８０が、ＣＮ比は映像音声データの受信に十分な値であると判断した場合、境界領域判定部１７０は、ステップＳ１７０の処理を行う。つまり、境界領域判定部１７０は、現在位置計測部１５１が計測した現在位置が放送通信切替境界領域に該当するか否かを判断する（ステップＳ１７０）。この判断は、以下のように行う。
【００４８】
現在位置の座標を（ｘｃ，ｙｃ）とし、選択されたパターンデータが示す放送通信切替境界領域の１区間がｙ＝ａｘ＋ｂと表される（ただし、ｘ１≦ｘ≦ｘ２）とする。この場合、境界領域判定部１７０は、以下の条件１及び条件２の両方を満たす場合、現在位置が放送通信切替境界領域に該当すると判断する。なお、条件２におけるｄは、許容誤差を示し、あらかじめ数値を設定する。
【００４９】
（条件１）：ｘ１≦ｘｃ≦ｘ２
（条件２）：（ｙｃ−ａｘｃ−ｂ）２＜ｄ２
【００５０】
さらに境界領域判定部１７０は、条件１及び条件２に加え、受信端末１００の移動方向と放送通信切替境界領域の１区間を表す２つの座標間の移動方向との差分が所定以内である場合に、現在位置が放送通信切替境界領域に該当すると判断してもよい。例えば、放送通信切替境界領域が、座標ｐから座標（ｐ＋１）までの区間であるとする。ただし、座標ｐのｘ座標がｘ１かつ座標（ｐ＋１）のｘ座標がｘ２、又は、座標ｐのｘ座標がｘ２かつ座標（ｐ＋１）のｘ座標がｘ１である。境界領域判定部１７０は、前回又は所定回前に得られた現在位置（ｘｃ’，ｙｃ’）から最も新しく得られた現在位置（ｘｃ，ｙｃ）への移動方向と、座標ｐから座標（ｐ＋１）への移動方向との差分が所定以内であるときに、移動方向が一致すると判断する（ただし、ｘ１≦ｘｃ’≦ｘ２）。境界領域判定部１７０が、現在位置は放送通信切替境界領域に該当しないと判断した場合、受信端末１００は、ステップＳ１５０からの処理を繰り返す。
【００５１】
切替判定部１８０は、ステップＳ１６０においてＣＮ比が放送受信映像音声データの受信に十分な値ではないと判断した場合、通信への切替を切替部１３０に指示する。あるいは、境界領域判定部１７０は、ステップＳ１７０において現在位置が放送通信切替境界領域に該当すると判断した場合、通信への切替を切替部１３０に指示する（ステップＳ１８０）。切替部１３０は、通信受信部１２０が出力した通信受信映像音声データを映像音声提示部１４０へ出力し、映像音声提示部１４０は、通信受信映像音声データを提示する。このように、受信端末１００は、パターンデータに従って放送から通信への切替を行うが、様々な要因によってパターンデータに従わずに急に放送ＣＮが低下した場合も、通信への切替を行うことができる。受信端末１００は、後述する図９の処理を開始する。
【００５２】
なお、切替判定部１８０は、ステップＳ１５０の後など、所定時間ごとに、現在位置と、パターンデータにより示される移動経路との乖離を算出する。切替判定部１８０は、乖離が所定以上となったことを検出した場合、現在使用しているパターンデータの使用を終了してステップＳ１２０からの処理を行う。
【００５３】
また、ステップＳ１２０においてパターンデータの候補が複数得られた場合に、切替判定部１８０は、いずれかのパターンデータを選択してステップＳ１５０以降の処理を行ってもよい。切替判定部１８０は、ステップＳ１５０の後など、所定時間ごとに、現在位置と、選択したパターンデータにより示される移動経路との乖離を算出する。切替判定部１８０は、乖離が所定以上となったことを検出した場合、ステップＳ１２０において得られたパターンデータの候補の中から、現在位置とパターンデータが示す移動経路との最短距離が所定以内のものを選択し、ステップＳ１５０以降の処理を行う。
【００５４】
図９は、通信受信時の受信端末１００の動作を示すフロー図である。
受信端末１００は、通信の受信を開始する。すなわち、切替部１３０は、通信受信部１２０が出力した通信受信映像音声データを映像音声提示部１４０へ出力し、映像音声提示部１４０は、通信受信映像音声データを提示する。
【００５５】
ステップＳ２１０〜ステップＳ２４０の処理は、図８に示すステップＳ１１０〜Ｓ１４０の処理と同様である。つまり、境界領域判定部１７０は、パターンデータが選択済みであるか否かを判定する（ステップＳ２１０）。境界領域判定部１７０は、パターンデータが未選択であると判定した場合、起点の座標と現在位置を表す座標とが所定の範囲内である１以上のパターンデータを適用可能なパターンデータの候補として選択する（ステップＳ２２０）。一定時間経過後、境界領域判定部１７０は、新たに取得した現在位置と、前回取得した現在位置とに基づいて進行方向を算出し、適用可能なパターンデータの候補の中から、現在位置と移動経路との距離が所定以内であり、かつ、移動方向と移動経路の方向のずれが所定以内であるパターンデータを選択する（ステップＳ２３０）。境界領域判定部１７０は、ステップＳ２３０の処理を、選択されたパターンデータが一つになるまで繰り返す（ステップＳ２４０）。
【００５６】
境界領域判定部１７０が、ステップＳ２１０においてパターンデータは選択済みであると判定した場合、又は、ステップＳ２４０において、選択されたパターンデータが一つになったと判定した場合、切替判定部１８０は、ステップＳ２５０からの処理を行う。すなわち、切替判定部１８０は、一定時間経過後に（ステップＳ２５０）、通信品質計測部１５３により計測された通信速度が通信受信映像音声データの受信に十分な値であるか否かを判断する（ステップＳ２６０）。例えば、切替判定部１８０は、所定の閾値と通信速度を比較する。
【００５７】
切替判定部１８０が、通信速度は通信受信映像音声データの受信に十分な値であると判断した場合、境界領域判定部１７０は、ステップＳ２７０の処理を行う。つまり、境界領域判定部１７０は、現在位置計測部１５１が計測した現在位置が、通信放送切替境界領域に該当するか否かを判断する（ステップＳ２７０）。この判断は、図８のステップＳ１７０と同様の処理により行う。
【００５８】
具体的には、現在位置の座標を（ｘｃ，ｙｃ）とし、選択されたパターンデータが示す通信放送切替境界領域の１区間がｙ＝ａｘ＋ｂと表される（ただし、ｘ１≦ｘ≦ｘ２）とする。この場合、境界領域判定部１７０は、以下の条件１及び条件２の両方を満たす場合、現在位置が通信放送切替境界領域に該当すると判断する。なお、条件２におけるｄは、許容誤差を示し、あらかじめ数値を設定する。
【００５９】
（条件１）：ｘ１≦ｘｃ≦ｘ２
（条件２）：（ｙｃ−ａｘｃ−ｂ）２＜ｄ２
【００６０】
さらに境界領域判定部１７０は、条件１及び条件２に加え、受信端末１００の移動方向と通信放送切替境界領域の１区間を表す２つの座標間の移動方向との差分が所定以内である場合に、現在位置が通信放送切替境界領域に該当すると判断してもよい。境界領域判定部１７０が、現在位置は通信放送切替境界領域に該当しないと判断した場合、受信端末１００は、ステップＳ２５０からの処理を繰り返する。
【００６１】
切替判定部１８０は、ステップＳ２６０において通信速度が通信受信映像音声データの受信に十分な値ではないと判断した場合、放送への切替を切替部１３０に指示する。あるいは、境界領域判定部１７０は、ステップＳ２７０において、現在位置が通信放送切替境界領域に該当すると判断した場合、放送への切替を切替部１３０に指示する（ステップＳ２８０）。切替部１３０は、放送受信部１１０が出力した放送受信映像音声データを映像音声提示部１４０へ出力し、映像音声提示部１４０は、放送受信映像音声データを提示する。このように、受信端末１００は、パターンデータに従って通信から放送への切替を行うが、様々な要因によってパターンデータに従わずに急に通信速度が低下した場合も、放送への切替を行うことができる。受信端末１００は、図８の処理を開始する。
【００６２】
なお、切替判定部１８０は、ステップＳ２５０の後など、所定時間ごとに、現在位置と、パターンデータにより示される移動経路との乖離を算出する。切替判定部１８０は、乖離が所定以上となったことを検出した場合、現在使用しているパターンデータの使用を終了し、ステップＳ２２０からの処理を行う。
【００６３】
また、ステップＳ２２０においてパターンデータの候補が複数得られた場合に、切替判定部１８０は、いずれかのパターンデータを選択してステップＳ２５０以降の処理を行ってもよい。切替判定部１８０は、ステップＳ２５０の後など、所定時間ごとに、現在位置と、選択したパターンデータにより示される移動経路との乖離を算出する。切替判定部１８０は、乖離が所定以上となったことを検出した場合、ステップＳ２２０において得られたパターンデータの候補の中から、現在位置とパターンデータが示す移動経路との最短距離が所定以内のものを選択し、ステップＳ２５０以降の処理を行う。
【００６４】
なお、ステップＳ１２０、ステップＳ２２０において、境界領域判定部１７０は、外部サーバ３００に蓄積されているパターンデータを検索してもよい。境界領域判定部１７０は、検索の結果得られた適用可能なパターンデータの候補をダウンロード又はコピーしてパターンデータ保持部１６０に保持する。
【００６５】
［第２の実施形態］
第１の実施形態のパターンデータは、電車やバスの路線、通勤経路など良く使われるルートの起点から終点までを複数の座標により表した移動経路において、各座標が境界領域に関連しないか、あるいは、境界領域の開始点又は終点であるかの情報を示している。本実施形態では、境界領域の周辺のパターンデータを複数組み合わせて用いる。
【００６６】
図１０は、本実施形態によるパターンデータを説明するための図である。同図に示すルートの起点は座標１であり終点は座標６である。第１の実施形態の場合、一つのパターンデータ内に、座標１（起点）、座標２、座標３、座標４、座標５、座標６（終点）の座標及び境界種別が記述される。座標２が放送通信切替境界領域の開始点、座標３が放送通信切替境界領域の終点、座標４が通信放送切替境界領域の開始点、座標５が通信放送切替境界領域の終点である。
【００６７】
一方、本実施形態では、境界領域の周辺のみについて記述したパターンデータを使用する。よって、座標１と座標２の間の座標Ａ（起点）、座標２、座標３、座標３と座標４の間の座標Ｂ（終点）の座標及び境界種別が記述されたパターンデータと、座標３と座標４の間の座標Ｃ（起点）、座標４、座標５、座標５と座標６の間の座標Ｄ（終点）の座標及び境界種別が記述されたパターンデータを使用する。なお、境界領域の終点をパターンデータが示す移動経路の終点としてもよい。受信端末１００の処理については、第１の実施形態と同様である。そのため、座標Ａ、座標Ｃなどパターンデータ内における移動経路の起点は、図８のステップＳ１２０〜ステップＳ１４０の処理や図９のステップＳ２２０〜ステップＳ２４０の処理により、パターンデータを選択するために必要な距離だけ、境界領域の開始点よりも前の座標とする。
【００６８】
通勤や通学などのために同じルートをよく使用する場合や、境界領域間の距離が短い場合には、第１の実施形態を利用することにより、パターンデータの検索にかかる処理負荷を低減することができる。一方、本実施形態の場合、普段と同じ経路を利用しない場合でも、移動に伴って、現在位置及び移動方向にマッチしたパターンデータを選択していくことにより、放送と通信の切替を行うことができる。また、通勤や通学などのために同じルートをよく使用する場合、そのルートに適用される本実施形態の複数のパターンデータを１セットとしてパターンデータ保持部１６０に保持することで、パターンデータの検索処理の負荷を低減することができる。
【００６９】
［第３の実施形態］
本実施形態では、第１又は第２の実施形態の受信端末に、受信品質計測ログを基にパターンデータを生成する機能が付加される。
【００７０】
図１１は、本実施形態による受信端末２００の構成を示すブロック図である。同図において、図１に示す第１の実施形態による受信端末１００と同一の部分には同一の符号を付し、その説明を省略する。同図に示す受信端末２００が、第１の実施形態の受信端末１００と異なる点は、受信品質計測ログ保持部２１０と、パターンデータ生成部２２０とをさらに備える点である。受信品質計測ログ保持部２１０は、時刻と、その時刻における現在位置計測部１５１、放送品質計測部１５２及び通信品質計測部１５３それぞれの計測結果を示すデータである受信品質計測ログを記憶する。パターンデータ生成部２２０は、受信品質計測ログ保持部２１０に記憶されたデータに基づいてパターンデータを生成する。
【００７１】
パターンデータ生成部２２０は、受信品質計測ログ保持部２１０に記録された多数の過去の受信品質計測ログが示す現在位置のデータの履歴をもとに、繰り返し出現する移動パターンを特定する。なお、パターンデータ生成部２２０は、ユーザが受信端末２００に計測開始、計測終了を入力した時点をそれぞれ移動パターンの起点、終点としてもよい。また、パターンデータ生成部２２０は、現在位置計測部１５１が計測した現在位置に基づいて、所定時間よりも長く滞在した場所を離れたときにその場所を移動パターンの起点とし、起点を検出した後に所定時間よりも長く滞在した場所を移動パターンの終点としてもよい。
【００７２】
パターンデータ生成部２２０は、特定した移動パターンの中で、放送のＣＮ比があらかじめ設定した閾値以上の領域を放送受信可能な領域、その閾値を下回る領域を放送受信不可の領域と判定する。また、パターンデータ生成部２２０は、特定した移動パターンの中で、通信速度があらかじめ設定した閾値以上の領域を通信受信可能な領域、その閾値を下回る領域を通信受信不可の領域と判定する。パターンデータ生成部２２０は、以下のように、境界領域を判断する。
【００７３】
（１）パターンデータ生成部２２０は、移動パターンにおいて、放送受信不可の領域が開始する座標を特定し、その特定した座標から先が通信受信可能な領域である場合、特定した座標から所定よりも前までの領域を放送通信切替境界領域とする。
【００７４】
（２）パターンデータ生成部２２０は、移動パターンにおいて、通信受信不可の領域が開始する座標を特定し、その特定した座標から先が放送受信可能な領域である場合、特定した座標から所定よりも前までの領域を通信放送切替境界領域とする。
【００７５】
（３）パターンデータ生成部２２０は、移動パターンにおいて、放送受信不可の領域が終了する座標を特定し、その特定した座標から所定より先のまでの領域を通信放送切替境界領域とする。
【００７６】
上記の（１）〜（３）では、パターンデータ生成部２２０は、境界領域（放送通信切替境界領域及び通信放送切替境界領域）を所定の大きさとしているが、この所定の大きさは、受信端末２００が放送と通信の切替を行うためにかかる時間に応じて決められる。また、パターンデータ生成部２２０は、受信品質計測ログが示す時刻ごとの現在位置のデータの履歴から境界領域における速度を算出し、算出した速度が速いほど、境界領域を大きくしてもよい。例えば、パターンデータ生成部２２０は、切替にかかる時間と速度との乗算から切替中の推定移動距離を算出し、算出した推定移動距離に、所定のマージンを加えた距離を境界領域の大きさとする。なお、パターンデータ生成部２２０は、速度をインデックスとして境界領域の大きさが得られるデータを予め記憶しておき、受信品質計測ログに基づいて得られた速度に応じた境界領域の大きさをそのデータから読み出してもよい。
【００７７】
パターンデータ生成部２２０は、移動パターンの起点から終点までを一つの移動経路として設定した第１の実施形態のパターンデータを生成する。あるいは、パターンデータ生成部２２０は、移動パターンの起点から終点までの間に現れる各境界領域について、境界領域の前後所定距離までの範囲の移動経路が含まれるように第２の実施形態のパターンデータを生成する。パターンデータ保持部１６０は、パターンデータ生成部２２０が作成したパターンデータを保持する。
【００７８】
なお、外部サーバ３００がパターンデータ生成部２２０と同様の機能を有し、各受信端末２００の受信品質計測ログ保持部２１０から受信した受信品質計測ログに基づいてパターンデータを生成してもよい。
【００７９】
また、パターンデータ保持部１６０は、パターンデータ生成部２２０が生成したパターンデータを外部サーバ３００に出力し、外部サーバ３００は、受信端末２００から受信したパターンデータを他の受信端末２００や第１の実施形態の受信端末１００に配信してもよい。
【００８０】
また、外部サーバ３００は、複数の受信端末２００それぞれが異なる移動ルートについて生成したパターンデータに基づいて、地図上において、放送のみ又は放送及び通信が受信可能なエリア、通信のみが受信可能なエリア、及び、境界領域のエリアを推定することができる。外部サーバ３００は、これら各エリアの情報を含んだ地図のデータを各受信端末２００に配信してもよい。受信端末２００は、自端末の現在位置及び移動方向を取得し、現在、地図上の境界領域のエリアに位置し、かつ、放送のみ又は放送及び通信が受信可能なエリアの方向に向かっていると判断した場合は、通信から放送への切替を行い、現在、地図上の境界領域のエリアに位置し、かつ、通信のみが受信可能なエリアの方向に向かっていると判断した場合は、放送から通信への切替を行う。
【００８１】
上述した実施形態によれば、受信端末は、放送とインターネットなどの通信の双方を受信可能な機能を有しており、放送と通信の受信状況に応じて、放送と通信のいずれにより番組を受信するかを自動で切替える。そのために、受信端末は、放送と通信の過去の受信状況に基づき生成された、移動経路ごとの適切な放送と通信の切替パターンを示すパターンデータを取得・保持し、このパターンデータを利用して放送と通信を切替える。これにより、受信端末は、切れ目なく番組を提示することが可能となる。
【００８２】
また、受信端末は、パターンデータを、端末内部で計測した放送と通信の受信状況に基づいて生成してもよく、外部からダウンロードやコピーなどにより取得し、あらかじめ受信端末内に内蔵してもよい。例えば、複数のユーザの受信端末から、その受信端末が計測した受信品質計測ログを外部サーバに集め、外部サーバにおいてそれら受信品質計測ログを集約して、パターンデータを生成することも可能となる。複数の受信端末から得られた受信品質計測ログを集約し利用することにより、あるユーザが利用したことがない経路についても、サーバから取得したパターンデータを利用して放送と通信を切替えることが可能になる。このパターンデータの記述方法と利用方法を規定することにより、各受信端末とその他の機器で共通に使用可能とする。
【００８３】
また、本実施形態を適用することにより、県境など放送エリアの境界付近で、２つの放送所から出ている放送電波に対し、あらかじめ取得した受信品質計測ログをもとにしたパターンデータを使って、移動受信中に２つの放送所の間の放送信号の受信切替をシームレスに行うことも可能である。このように、放送と通信の切替と同様に、異なる電波による放送波の切替を行うことも可能である。
【００８４】
よって、視聴者は、移動中でも受信端末により番組を途切れなく視聴することができ、また通信コストをなるべく抑えることも可能である。また、放送局などの番組提供者は、配信設備や配信コストを削減することができる。加えて、時間と場所の制限のない番組視聴が促進されることによる経済効果も期待される。
【００８５】
以上説明した実施形態によれば、受信端末は、受信部と、映像音声提示部と、現在位置計測部と、境界領域判定部とを備える。受信部は、複数の伝送路それぞれにより映像音声データを受信する。切替部は、受信部が複数の伝送路それぞれにより受信した映像音声データのうちいずれを出力するかを切替える。映像音声提示部は、切替部が出力した映像音声データを提示する。パターンデータ保持部は、移動経路と、その移動経路上の境界領域とを示すパターンデータを保持する。境界領域は、提示対象の映像音声データを受信する伝送路の切替を行う領域である。現在位置計測部は、現在位置を計測する。境界領域判定部は、現在位置計測部が計測した現在位置の履歴に基づいて、現在、パターンデータが示す移動経路上の境界領域又はその境界領域の近傍に位置すると判断した場合に、受信部が受信した映像音声データのうちいずれの伝送路により受信した映像音声データを出力するかの切替を切替部に指示する。
【００８６】
例えば、複数の伝送路は、放送及び通信を含む。この場合、受信部は、実施形態における放送受信部１１０及び通信受信部１２０に対応し、境界領域は、移動経路において放送から通信への切替を行う領域又は通信から放送への切替を行う領域である。なお、放送から通信への切替を行う境界領域は、移動経路において放送が使用不可となる領域よりも前の領域である。また、通信から放送への切替を行う境界領域は、移動経路において通信が使用不可となる領域よりも前の領域、または、放送が使用可能となる領域から後の領域である。
【００８７】
受信端末は、品質計測部と、パターンデータ生成部とをさらに備えてもよい。品質計測部は、複数の伝送路それぞれの受信品質を計測する。複数の伝送路が、放送及び通信を含む場合、品質計測部は、放送品質計測部１５２及び通信品質計測部１５３に対応する。パターンデータ生成部は、現在位置計測部による計測結果の履歴に基づいて移動経路を算出し、算出した移動経路における品質計測部による計測結果に基づいて、提示対象の映像音声データを受信する伝送路の切替を行う境界領域を判断してパターンデータを生成する。
【００８８】
なお、上述の受信端末１００、２００は、内部にコンピュータシステムを有している。そして、受信端末１００、２００の一部の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００８９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００９０】
１００、２００…受信端末
１１０…放送受信部
１２０…通信受信部
１３０…切替部
１４０…映像音声提示部
１５０…計測部
１５１…現在位置計測部
１５２…放送品質計測部
１５３…通信品質計測部
１６０…パターンデータ保持部
１７０…境界領域判定部
１８０…切替判定部
２１０…受信品質計測ログ保持部
２２０…パターンデータ生成部
３００…外部サーバ
【図１】
2018201149.tif 000003
【図２】
2018201149.tif 000004
【図３】
2018201149.tif 000005
【図４】
2018201149.tif 000006
【図５】
2018201149.tif 000007
【図６】
2018201149.tif 000008
【図７】
2018201149.tif 000009
【図８】
2018201149.tif 000010
【図９】
2018201149.tif 000011
【図１０】
2018201149.tif 000012
【図１１】
2018201149.tif 000013